(57)【要約】【課題】画像印刷装置において、画像形成用の電圧を生成する電源回路の出力電圧のバラツキを抑え、電源回路の出力電圧の調整作業を不要にする。【解決手段】画像印刷装置の電源回路９は、電圧を昇圧するためのトランス１１と、昇圧用電圧Ｖｉによって、トランス１１に電流を供給する電流供給回路部１３とを備え、電流供給回路部１３は、トランス１１に供給する電流を制御する電流制御回路部２１を有する。また、電源回路９は、トランス１１の出力電圧Ｖｏを、フィードバック用の抵抗Ｒ２０を介して、電流制御回路部２１に入力される制御用電圧Ｖｃとしてフィードバックするフィードバック回路部１６と、フィードバック回路部１６によってフィードバックされる制御用電圧Ｖｃを電圧調整用の抵抗Ｒ２２によって調整する制御用電圧調整回路部１７とを備える。フィードバック用の抵抗Ｒ２０には、公差±１％のものを用いる。【選択図】図２
2008209527.tif 000002
【特許請求の範囲】
【請求項１】
レーザ光を利用して、印刷用紙にトナーを付着させて画像を形成する画像形成手段と、前記画像形成手段により画像を形成するのに必要な画像形成用の電圧を生成する電源回路とを備え、
前記電源回路は、電圧を昇圧するための１次側コイル及び２次側コイルを有するトランスと、ＰＷＭ変調された昇圧用電圧を出力するボルテージフォロワ部と、前記ボルテージフォロワ部から出力されたＰＷＭ変調された昇圧用電圧が入力され、該ＰＷＭ変調された昇圧用電圧によって、前記トランスの１次側コイルにＰＷＭ変調された電流を供給する電流供給回路部とを備え、前記トランスの２次側コイルから出力される電圧を前記画像形成用の電圧とする画像印刷装置において、
前記電流供給回路部は、前記トランスの１次側コイルに供給する電流を制御する電流制御回路部と、前記電流制御回路部と前記トランスの１次側コイルとの間に逆接続された定電圧ダイオードとを有し、前記定電圧ダイオードを介して前記トランスの１次側コイルに電流を供給し、
前記電流制御回路部は、演算増幅器を有し、該演算増幅器の反転入力に前記ボルテージフォロワ部から出力されたＰＷＭ変調された昇圧用電圧が入力されると共に、非反転入力に前記トランスの１次側コイルに供給する電流を制御するための制御用電圧が入力され、該演算増幅器によって、前記昇圧用電圧及び制御用電圧の電圧値に応じて、前記トランスの１次側コイルに供給する電流を制御し、
前記トランスの２次側コイルから出力された電圧を、フィードバック用の抵抗を介して、前記演算増幅器の非反転入力に入力される前記制御用電圧としてフィードバックするフィードバック回路部と、
前記フィードバック回路部によって前記演算増幅器の非反転入力にフィードバックされる前記制御用電圧を、電圧調整用の抵抗によって調整する制御用電圧調整回路部と、をさらに備え、
前記フィードバック回路部のフィードバック用の抵抗を公差±１％のものとし、
前記制御用電圧調整回路部の電圧調整用の抵抗をチップ抵抗とした、
ことを特徴とする画像印刷装置。
【請求項２】
レーザ光を利用して、印刷用紙にトナーを付着させて画像を形成する画像形成手段と、前記画像形成手段により画像を形成するのに必要な画像形成用の電圧を生成する電源回路とを備え、
前記電源回路は、電圧を昇圧するための１次側コイル及び２次側コイルを有するトランスと、ＰＷＭ変調された昇圧用電圧が入力され、該ＰＷＭ変調された昇圧用電圧によって、前記トランスの１次側コイルにＰＷＭ変調された電流を供給する電流供給回路部とを備え、前記トランスの２次側コイルから出力された電圧を前記画像形成用の電圧とする画像印刷装置において、
前記電流供給回路部は、前記トランスの１次側コイルに供給する電流を制御する電流制御回路部を有し、
前記電流制御回路部は、前記トランスの１次側コイルに供給する電流を制御するための制御用電圧が入力され、該制御用電圧の電圧値に応じて、前記トランスの１次側コイルに供給する電流を制御し、
前記トランスの２次側コイルから出力された電圧を、フィードバック用の抵抗を介して、前記電流制御回路部に入力される前記制御用電圧としてフィードバックするフィードバック回路部と、
前記フィードバック回路部によって前記電流制御回路部にフィードバックされる前記制御用電圧を、電圧調整用の抵抗によって調整する制御用電圧調整回路部と、をさらに備え、
前記フィードバック回路部のフィードバック用の抵抗を公差±１％のものとした、
ことを特徴とする画像印刷装置。
【請求項３】
前記電流制御回路部は、演算増幅器を有し、該演算増幅器の反転入力に前記ＰＷＭ変調された昇圧用電圧が入力されると共に、非反転入力に前記制御用電圧が入力され、該演算増幅器によって、前記昇圧用電圧及び制御用電圧の電圧値に応じて、前記トランスの１次側コイルに供給する電流を制御し、
前記フィードバック回路部は、トランスの２次側コイルから出力された電圧を、フィードバック用の抵抗を介して、前記演算増幅器の非反転入力に入力する、
ことを特徴とする請求項２に記載の画像印刷装置。
【発明の詳細な説明】
【技術分野】
【０００１】
本発明は、印刷用紙にトナーを付着させて画像を印刷する画像印刷装置に関するものである。
【背景技術】
【０００２】
従来から、印刷用紙にトナーを付着させて画像を印刷する画像印刷装置は、画像形成部により印刷用紙にトナーを付着させて画像を形成し、熱定着部により画像形成後の印刷用紙に熱を加えて画像を定着させることにより、印刷用紙に画像を印刷するようになっている。画像形成部は、帯電器により感光体ドラムを帯電させると共に、レーザ露光器により感光体ドラムにレーザ光を照射することによって、感光体ドラムに潜像を形成し、続いて、現像ブラシによりトナーを感光体ドラムに付着させることによって、感光体ドラムにトナー像を現像させ、そして、感光体ドラムに現像されたトナー像を印刷用紙に転写し、これにより、印刷用紙に画像を形成するようになっている。
【０００３】
画像形成部により画像を形成するには、例えば、感光体ドラムを帯電させる工程において、約１７００［ｖ］、感光体ドラムにトナー像を現像させる工程において、約６００［ｖ］、感光体ドラムに現像されたトナー像を印刷用紙に転写する工程において、約１３５０［ｖ］の高圧電圧を必要とする。このため、このような画像印刷装置は、これら画像形成部により画像を形成するのに必要な画像形成用の高圧電圧を生成する電源回路を備えており、その電源回路により画像形成用の高圧電圧を生成して画像形成部に供給するようになっている。このような電源回路としては、図３に示す構成のものが知られている。
【０００４】
図３に示す電源回路８０は、トランス８１を用いて電圧を昇圧して出力する回路であり、ボルテージフォロワ部８２によって、トランス８１により電圧を昇圧するためのＰＷＭ変調された昇圧用電圧Ｖｉを生成し、電流供給回路部８３によって、この昇圧用電圧Ｖｉを基にトランス８１にＰＷＭ変調された電流を供給するようになっている。そして、電源回路８０は、トランス８１によって、このＰＷＭ変調された電流を基に電圧を昇圧し、整流回路部８４によって、トランス８１の出力電流を整流及び平滑化して、トランス８１の出力電圧を画像形成用の出力電圧Ｖｏとして出力するようになっている。
【０００５】
電流供給回路部８３は、トランス８１に供給する電流を制御する電流制御回路部８５を有している。電流制御回路部８５は、ボルテージフォロワ部８１により生成された昇圧用電圧Ｖｉ、及びトランス８１に供給する電流を制御するための制御用電圧Ｖｃが入力されるようになっており、そして、制御用電圧Ｖｃに応じて昇圧用電圧Ｖｉを可変することにより、トランス８１に供給する電流を制御し、これにより、トランス８１の出力電圧すなわち電源回路８０の出力電圧Ｖｏを可変するようになっている。
【０００６】
また、電源回路８０は、電源回路８０の出力電圧Ｖｏを一定に保つために、フィードバック回路部８６によって、電源回路８０の出力電圧Ｖｏ（トランス８１の出力電圧）を電流制御回路部８５に入力される制御用電圧Ｖｃとしてフィードバックするようになっている。つまり、電源回路８０は、電源回路８０の出力電圧Ｖｏを電流制御回路部８５にフィードバックすることにより、電流制御回路部８５によってトランス８１に供給される電流を一定に保ち、電源回路８０の出力電圧Ｖｏを一定に保つようになっている。フィードバック回路部８６は、フィードバック用の抵抗Ｒ８１を有しており、電源回路８０の出力電圧Ｖｏをフィードバック用の抵抗Ｒ８１を介してフィードバックするようになっている。フィードバック用の抵抗Ｒ８１は、公差±５％のものが用いられている。
【０００７】
さらに、電源回路８０は、電源回路８０毎（画像印刷装置毎）の出力電圧Ｖｏのバラツキを抑えるために、制御用電圧調整回路部８７によって、電流制御回路部８５に入力される制御用電圧Ｖｃ（すなわちフィードバック回路部８５によってフィードバックされる電圧）を調整するようになっている。制御用電圧調整回路部８７は、制御用電圧Ｖｃを調整するための電圧調整用の抵抗として半固定抵抗（可変抵抗）Ｒ８２を用いており、半固定抵抗Ｒ８２の抵抗値が作業員によって調整されることにより、電流制御回路部８５に入力される制御用電圧Ｖｃを調整するようになっている。つまり、電源回路８０は、作業員が制御用電圧調整回路部８７の半固定抵抗Ｒ８２の抵抗値を手動で調整することにより、電流制御回路部８５に入力される制御用電圧Ｖｃが調整され、これにより、電流制御回路部８５によってトランス８１に供給される電流が調整されて、電源回路８０の出力電圧Ｖｏが調整されるようになっている。
【０００８】
一方、高温動作が可能で、さらに高精度かつ低電圧動作を可能にした温度検出回路が知られている（例えば、特許文献１参照）。また、消費電流を増やすことなく、基準電圧回路の出力電位差を広げることができ、安定した出力を容易に得ることを可能にした定電圧回路が知られている（例えば、特許文献２参照）。また、電源電圧が変動しても安定した定電圧の発生を可能にした定電圧発生回路が知られている（例えば、特許文献３参照）。
【特許文献１】特開２００４−２３９７３４号公報
【特許文献２】特開２００２−７３１８０号公報
【特許文献３】特開平４−２１３７１１号公報
【発明の開示】
【発明が解決しようとする課題】
【０００９】
ところが、上述した従来の画像印刷装置の電源回路８０においては、電源回路８０毎（画像印刷装置毎）の出力電圧Ｖｏのバラツキを抑えるために、作業員が半固定抵抗Ｒ８２の抵抗値を手動で調整することにより、電源回路８０の出力電圧Ｖｏを調整している。このため、電源回路８０の出力電圧Ｖｏの調整作業に時間を要することになり、作業効率が悪い。なお、上述した特許文献１乃至特許文献３に開示の内容を適用したとしても、上記の問題を解決することはできない。
【００１０】
本発明は、上記課題を解決するためになされたものであり、電源回路の出力電圧のバラツキを抑え、電源回路の出力電圧の調整作業を不要にすることができる画像印刷装置を提供することを目的とする。
【課題を解決するための手段】
【００１１】
上記目的を達成するために請求項１の発明は、レーザ光を利用して、印刷用紙にトナーを付着させて画像を形成する画像形成手段と、画像形成手段により画像を形成するのに必要な画像形成用の電圧を生成する電源回路とを備え、電源回路は、電圧を昇圧するための１次側コイル及び２次側コイルを有するトランスと、ＰＷＭ変調された昇圧用電圧を出力するボルテージフォロワ部と、ボルテージフォロワ部から出力されたＰＷＭ変調された昇圧用電圧が入力され、該ＰＷＭ変調された昇圧用電圧によって、トランスの１次側コイルにＰＷＭ変調された電流を供給する電流供給回路部とを備え、トランスの２次側コイルから出力される電圧を画像形成用の電圧とする画像印刷装置において、電流供給回路部は、トランスの１次側コイルに供給する電流を制御する電流制御回路部と、電流制御回路部とトランスの１次側コイルとの間に逆接続された定電圧ダイオードとを有し、定電圧ダイオードを介してトランスの１次側コイルに電流を供給し、電流制御回路部は、演算増幅器を有し、該演算増幅器の反転入力にボルテージフォロワ部から出力されたＰＷＭ変調された昇圧用電圧が入力されると共に、非反転入力にトランスの１次側コイルに供給する電流を制御するための制御用電圧が入力され、該演算増幅器によって、昇圧用電圧及び制御用電圧の電圧値に応じて、トランスの１次側コイルに供給する電流を制御し、トランスの２次側コイルから出力された電圧を、フィードバック用の抵抗を介して、演算増幅器の非反転入力に入力される制御用電圧としてフィードバックするフィードバック回路部と、フィードバック回路部によって演算増幅器の非反転入力にフィードバックされる制御用電圧を、電圧調整用の抵抗によって調整する制御用電圧調整回路部と、をさらに備え、フィードバック回路部のフィードバック用の抵抗を公差±１％のものとし、制御用電圧調整回路部の電圧調整用の抵抗をチップ抵抗としたものである。
【００１２】
請求項２の発明は、レーザ光を利用して、印刷用紙にトナーを付着させて画像を形成する画像形成手段と、画像形成手段により画像を形成するのに必要な画像形成用の電圧を生成する電源回路とを備え、電源回路は、電圧を昇圧するための１次側コイル及び２次側コイルを有するトランスと、ＰＷＭ変調された昇圧用電圧が入力され、該ＰＷＭ変調された昇圧用電圧によって、トランスの１次側コイルにＰＷＭ変調された電流を供給する電流供給回路部とを備え、トランスの２次側コイルから出力された電圧を画像形成用の電圧とする画像印刷装置において、電流供給回路部は、トランスの１次側コイルに供給する電流を制御する電流制御回路部を有し、電流制御回路部は、トランスの１次側コイルに供給する電流を制御するための制御用電圧が入力され、該制御用電圧の電圧値に応じて、トランスの１次側コイルに供給する電流を制御し、トランスの２次側コイルから出力された電圧を、フィードバック用の抵抗を介して、電流制御回路部に入力される制御用電圧としてフィードバックするフィードバック回路部と、フィードバック回路部によって電流制御回路部にフィードバックされる制御用電圧を、電圧調整用の抵抗によって調整する制御用電圧調整回路部と、をさらに備え、フィードバック回路部のフィードバック用の抵抗を公差±１％のものとしたものである。
【００１３】
請求項３の発明は、請求項２に記載の画像印刷装置において、電流制御回路部は、演算増幅器を有し、該演算増幅器の反転入力にＰＷＭ変調された昇圧用電圧が入力されると共に、非反転入力に制御用電圧が入力され、該演算増幅器によって、昇圧用電圧及び制御用電圧の電圧値に応じて、トランスの１次側コイルに供給する電流を制御し、フィードバック回路部は、トランスの２次側コイルから出力された電圧を、フィードバック用の抵抗を介して、演算増幅器の非反転入力に入力するものである。
【発明の効果】
【００１４】
請求項１の発明によれば、フィードバック用の抵抗を公差±１％のものとすることにより、電圧調整用の抵抗の抵抗値を変えることなく、電源回路の出力電圧のバラツキを抑えることができる。これにより、電源回路の出力電圧の調整作業を不要にすることができ、作業効率が向上する。また、電源回路の出力電圧の調整作業が不要になるため、従来において電圧調整用の抵抗として用いていた半固定抵抗を不要にすることができ、そして、電圧調整用の抵抗としてチップ抵抗を用いているため、従来の電圧調整用の抵抗として半固定抵抗を用いた構成と比較して、コストダウンになる。
【００１５】
請求項２、３の発明によれば、フィードバック用の抵抗を公差±１％のものとすることにより、電圧調整用の抵抗の抵抗値を変えることなく、電源回路の出力電圧のバラツキを抑えることができる。これにより、電源回路の出力電圧の調整作業を不要にすることができ、作業効率が向上する。また、電源回路の出力電圧の調整作業が不要になるため、従来において電圧調整用の抵抗として用いていた半固定抵抗を不要にすることができ、コストダウンを図ることが可能となる。
【発明を実施するための最良の形態】
【００１６】
以下、本発明を具体化した実施形態に係る画像印刷装置について図面を参照して説明する。図１は、画像印刷装置の構成を示す。画像印刷装置１は、印刷用紙２に画像を印刷する装置である。この画像印刷装置１は、レーザ光を利用して印刷用紙２にトナーを付着させることにより印刷用紙２に画像を印刷する、いわゆるレーザプリンタである。
【００１７】
画像印刷装置１は、印刷用紙２を搬送する搬送部３と、トナーを貯蔵するトナーカートリッジ４と、印刷用紙２にトナーを付着させて画像を形成する画像形成部５と、印刷用紙２に形成された画像を定着させる熱定着部６と、画像印刷前の印刷用紙２が装填される給紙トレイ７と、画像印刷後の印刷用紙２を積載するための排紙トレイ８と、画像形成部５に画像形成用の電圧を供給する電源回路９等を備える。
【００１８】
搬送部３は、給紙ローラ３１と、搬送ローラ３２〜３５と、排紙ローラ３６等を有している。給紙トレイ７に装填されている印刷用紙２は、給紙ローラ３１により１枚ずつ取り込まれ、搬送ローラ３２〜３５により画像形成部５及び熱定着部６を経由して排紙ローラ３６へと搬送され、排紙ローラ３６により排紙トレイ８に排紙される。
【００１９】
画像形成部５は、レーザ光を利用して、印刷用紙２にトナーを付着させて画像を形成するようになっており、感光体ドラム５１と、帯電器５２と、レーザ露光器５３と、現像ブラシ５４と、転写ローラ５５等を有している。
【００２０】
画像形成部５は、以下のようにして、印刷用紙２に画像を形成する。まず、感光体ドラム５１の表面を帯電器５２により帯電させると共に、レーザ露光器５３により感光体ドラム５１の表面にレーザ光を照射することによって、感光体ドラム５１の表面に潜像を形成する。続いて、トナーカートリッジ４に貯蔵されているトナーを現像ブラシ５４により感光体ドラム５１の表面に付着させる（トナーは、潜像が形成されている部分に付着する）ことによって、感光体ドラム５１の表面にトナー像を現像させる。そして、搬送部３により搬送されてきた印刷用紙２を転写ローラ５５により感光体ドラム５１の表面に押圧することによって、感光体ドラム５１の表面に付着しているトナーを印刷用紙２に付着させ、感光体ドラム５１に現像されているトナー像を印刷用紙２に転写して、印刷用紙２に画像を形成する。
【００２１】
熱定着部６は、ヒータランプ６１と、加熱ローラ６２と、加圧ローラ６３等を有している。ヒータランプ６１は、加熱ローラ６２内に配置されており、加熱ローラ６２は、ヒータランプ６１により熱せられるようになっている。加圧ローラ６３は、搬送部３により搬送されてきた印刷用紙２を加熱ローラ６２に押圧するようになっている。熱定着部６は、画像形成部５により画像を形成した印刷用紙２（搬送部３により搬送されてきた印刷用紙２）を加圧ローラ６３により加熱ローラ６２に押圧して、加熱ローラ６２により印刷用紙２に熱を加えることによって、印刷用紙２に画像を定着させる。画像形成部５により印刷用紙２に画像を形成し、熱定着部６により印刷用紙２に画像を定着させることにより、印刷用紙２に画像が印刷される。
【００２２】
電源回路９は、画像形成部５により画像を形成するのに必要な画像形成用の電圧を生成し、その生成した画像形成用の電圧を画像形成部５に供給する回路である。画像形成部５により画像を形成するには、例えば、感光体ドラム５１を帯電させる工程において、約１７００［ｖ］、感光体ドラム５１にトナー像を現像させる工程において、約６００［ｖ］、感光体ドラム５１に現像されたトナー像を印刷用紙２に転写する工程において、約１３５０［ｖ］の高圧電圧を必要とする。電源回路９は、これら画像形成部５により画像を形成するのに必要な画像形成用の高圧電圧を生成して画像形成部５に供給する。
【００２３】
図２は、画像印刷装置１の電源回路９の構成を示す。電源回路９は、トランス１１と、ボルテージフォロワ部１２と、電流供給回路部１３と、整流回路部１４と、位相補正回路部１５と、フィードバック回路部１６と、制御用電圧調整回路部１７等を備える。
【００２４】
トランス１１は、１次側コイルＬ１及び２次側コイルＬ２を有しており、１次側コイルＬ１に流れる電流の変化に応じて電圧を昇圧し、その昇圧した電圧を２次側コイルＬ２から出力する。このトランス１１は、１次側コイルＬ１として、２つの１次側コイルＬ１１、Ｌ１２を有している。
【００２５】
ボルテージフォロワ部１２は、トランス１１による昇圧に用いられる昇圧用電圧Ｖｉを生成、出力する回路であり、演算増幅器ＯＰ１、ＯＰ２、ダイオードＤ１、定電圧ダイオードＤ２、抵抗Ｒ１、Ｒ２、Ｒ３、Ｒ４、Ｒ５、Ｒ６、Ｒ７、Ｒ８、Ｒ９、Ｒ１０を有している。ボルテージフォロワ部１２は、２４［ｖ］の直流電圧及びＰＷＭ信号が入力され、２４［ｖ］の直流電圧をＰＷＭ信号によりＰＷＭ変調して、そのＰＷＭ変調された電圧を昇圧用電圧Ｖｉとして出力する。ボルテージフォロワ部１２から出力された昇圧用電圧Ｖｉは、電流供給回路部１３に入力される。また、このボルテージフォロワ部１２は、演算増幅器ＯＰ１、ＯＰ２の働きによって、ボルテージフォロワ部１２の前段の回路と次段の回路との互いの影響を避ける役割を担っている。
【００２６】
電流供給回路部１３は、ボルテージフォロワ部１２から入力された昇圧用電圧Ｖｉを用いて、トランス１１の１次側コイルＬ１１、Ｌ１２にＰＷＭ変調された電流を供給する回路であり、演算増幅器ＯＰ３、トランジスタＴＲ１、コンデンサＣ１、Ｃ２、Ｃ３、Ｃ４、Ｃ５、定電圧ダイオードＤ３、抵抗Ｒ１１、Ｒ１２、Ｒ１３、Ｒ１４を有している。
【００２７】
演算増幅器ＯＰ３、コンデンサＣ１、抵抗Ｒ１１により、トランス１１の１次側コイルＬ１、Ｌ２に供給する電流を制御する電流制御回路部２１が構成されている。トランジスタＴＲ１は、エミッタが接地され、ベースがトランス１１の一方の１次側コイルＬ１１に接続され、コレクタがトランス１１の他方の１次側コイルＬ１２に接続されている。トランス１１の一方の１次側コイルＬ１１は、トランジスタＴＲ１のベースと電流制御回路部２１との間に接続され、トランス１１の他方の１次側コイルＬ１２は、トランジスタＴＲ１のコレクタと電源３０との間に接続されている。定電圧ダイオードＤ３は、逆方向の電流を流したときに、電流の大きさに関わらず一定の電圧を出力するダイオード（ツェナーダイオード）であり、電流制御回路部２１とトランス１１の１次側コイルＬ１１との間に逆接続されている。
【００２８】
電流制御回路部２１は、ＰＷＭ変調された昇圧用電圧Ｖｉをその振幅を可変して出力する回路である。電流制御回路部２１の出力電圧（振幅が可変された昇圧用電圧Ｖｉ）によって、電流制御回路部２１から定電圧ダイオードＤ３、トランジスタＴＲ１のベース、エミッタに至る経路で、トランス１１の一方の１次側コイルＬ１１にＰＷＭ変調された電流が供給される。また、トランス１１の一方の１次側コイルＬ１１にＰＷＭ変調された電流が供給されることにより、そのＰＷＭ変調された電流によってトランジスタＴＲ１がスイッチングされ、電源３０からトランジスタＴＲ１のコレクタ、エミッタに至る経路で、トランス１１の他方の１次側コイルＬ１２にＰＷＭ変調された電流が供給される。これらトランス１１の１次側コイルＬ１１、Ｌ１２に供給される電流の大きさ（ＰＷＭ変調された電流の振幅）は、電流制御回路部２１の出力電圧の大きさ（ＰＷＭ変調された昇圧用電圧Ｖｉの振幅）に依存する。
【００２９】
電流制御回路部２１は、トランス１１の１次側コイルＬ１１、Ｌ１２に供給する電流を制御するための制御用電圧Ｖｃが入力されるようになっており、その制御用電圧Ｖｃの電圧値に応じて、昇圧用電圧Ｖｉをその振幅を可変して出力し、これにより、トランス１１の１次側コイルＬ１１、Ｌ１２に供給する電流の大きさ（ＰＷＭ変調された電流の振幅）を制御するようになっている。
【００３０】
電流制御回路部２１は、演算増幅器ＯＰ３、コンデンサＣ１、抵抗Ｒ１１を有しており、演算増幅器ＯＰ３の出力をコンデンサＣ１及び抵抗Ｒ１１を介して反転入力に帰還するようにした回路である。このような回路は、演算増幅器ＯＰ３の非反転入力に入力される電圧に応じて、演算増幅器ＯＰ３の反転入力に入力される電圧を可変して出力する。そして、この電流制御回路部２１は、演算増幅器ＯＰ３の反転入力に昇圧用電圧Ｖｉが入力されると共に、非反転入力に制御用電圧Ｖｃが入力されるようになっている。従って、電流制御回路部２１は、演算増幅器ＯＰ３によって、制御用電圧Ｖｃの電圧値に応じて、ＰＷＭ変調された昇圧用電圧Ｖｉをその振幅を可変して出力し、これにより、トランス１１の１次側コイルＬ１１、Ｌ１２に供給する電流を制御する。
【００３１】
電流供給回路部１３は、このようにして、トランス１１の１次側コイルＬ１１、Ｌ１２にＰＷＭ変調された電流を供給し、また、トランス１１の１次側コイルＬ１１、Ｌ１２に供給する電流の大きさ（ＰＷＭ変調された電流の振幅）を制御する。
【００３２】
整流回路部１４は、トランス１１の出力電流（トランス１１の２次側コイルＬ２から出力される電流）を整流及び平滑化する回路であり、ダイオードＤ４、Ｄ５、コンデンサＣ６、Ｃ７、Ｃ７、抵抗Ｒ１５を有している。整流回路部１４の働きにより、トランス１１の出力電流が整流及び平滑化される。電源回路９は、トランス１１の出力電流を整流回路部１４により整流及び平滑化したうえで、トランス１１の出力電圧（トランス１１の２次側コイルＬ２から出力される電圧）を画像形成用の出力電圧Ｖｏとして出力する。
【００３３】
位相補正回路部１５は、トランス１１の出力電流と、トランス１１に供給される電流とを位相補正するための回路であり、オペアンプＯＰ４、コンデンサＣ９、Ｃ１０、Ｃ１１、抵抗Ｒ１６、Ｒ１７、Ｒ１８、Ｒ１９、ダイオードＤ６を有する。位相補正回路部１５の働きにより、トランス１１の出力電流の位相と、トランス１１に供給される電流の位相が合わせられる。
【００３４】
フィードバック回路部１６は、電源回路９の出力電圧Ｖｏ（トランス１１の出力電圧）を一定に保つために、電源回路９の出力電圧Ｖｏを、電流制御回路部２１の演算増幅器ＯＰ３の非反転入力に入力される制御用電圧Ｖｃとしてフィードバックする回路である。フィードバック回路部１６は、フィードバック用の抵抗Ｒ２０を有しており、電源回路９の出力電圧Ｖｏを、フィードバック用の抵抗Ｒ２０を介して、演算増幅器ＯＰ３の非反転入力に入力される制御用電圧Ｖｃとしてフィードバックする。電源回路９の出力電圧Ｖｏがフィードバックされることにより、電流制御回路部２１によってトランス１１に供給される電流が一定に保たれ、これにより、電源回路９の出力電圧Ｖｏが一定に保たれる。フィードバック用の抵抗Ｒ２０には、公差±１％のものを用いている。
【００３５】
制御用電圧調整回路部１７は、電流制御回路部２１の演算増幅器ＯＰ３の非反転入力に入力される制御用電圧Ｖｃ（すなわちフィードバック回路部１６によってフィードバックされる電圧）を調整するための回路であり、抵抗Ｒ２１、コンデンサＣ１２、演算増幅器ＯＰ５、制御用電圧Ｖｃを調整するための電圧調整用の抵抗Ｒ２２を有している。制御用電圧調整回路部１７は、フィードバック回路部１６によって電流制御回路部２１の演算増幅器ＯＰ３の非反転入力にフィードバックされる制御用電圧Ｖｃを、電圧調整用の抵抗Ｒ２２によって調整している。電圧調整用の抵抗Ｒ２２によって制御用電圧Ｖｃが調整されることにより、電流制御回路部２１によってトランス１１に供給される電流が調整され、これにより、電源回路９の出力電圧Ｖｏが調整される。電圧調整用の抵抗Ｒ２２は、チップ抵抗を用いている。また、電圧調整用の抵抗Ｒ２２には、公差±１％のものとするのが望ましい。
【００３６】
試験を行った結果、電源回路９毎の出力電圧Ｖｏのバラツキは、フィードバック用の抵抗Ｒ２０の公差による影響が大きいことが確認でき、フィードバック用の抵抗Ｒ２０として、公差±５％のものを用いた場合には、電源回路９毎の出力電圧Ｖｏのバラツキが大きくなり、公差±１％のものを用いた場合には、電源回路９毎の出力電圧Ｖｏのバラツキが抑えられる、という試験結果が得られた。
【００３７】
従って、本実施形態の画像印刷装置１のように、フィードバック用の抵抗Ｒ２０を公差±１％のものとすることにより、電圧調整用の抵抗Ｒ２２の抵抗値を変えることなく、電源回路９の出力電圧Ｖｏのバラツキを抑えることができる。これにより、電源回路９の出力電圧Ｖｏの調整作業を不要にすることができ、作業効率が向上する。また、本実施形態の画像印刷装置１によれば、電源回路９の出力電圧Ｖｏの調整作業が不要になるため、従来において用いていた半固定抵抗を不要にすることができ、そして、電圧調整用の抵抗Ｒ２２としてチップ抵抗を用いているため、従来の半固定抵抗を用いた構成と比較して、コストダウンになる。また、電圧調整用の抵抗Ｒ２２を公差±１％のものとすることにより、より一層、電源回路９の出力電圧Ｖｏのバラツキを抑えることができる。
【図面の簡単な説明】
【００３８】
【図１】本発明の一実施形態に係る画像印刷装置の側断面図。
【図２】同画像印刷装置の電源回路の構成を示す電気回路図。
【図３】従来の画像印刷装置の電源回路の構成を示す電気回路図。
【符号の説明】
【００３９】
１    画像印刷装置
２    印刷用紙
３    搬送部
４    トナーカートリッジ
５    画像形成部
６    熱定着部
７    給紙トレイ
８    排紙トレイ
９    電源回路
１１  トランス
１２  ボルテージフォロワ部
１３  電流供給回路部
１４  整流回路部
１５  位相補正回路部
１６  フィードバック回路部
１７  制御用電圧調整回路部
２１  電流制御回路部
３１    給紙ローラ
３２〜３５    搬送ローラ
３６    排紙ローラ
５１    感光体ドラム
５２    帯電器
５３    レーザ露光器
５４    現像ブラシ
５５    転写ローラ
６１    ヒータランプ
６２    加熱ローラ
６３    加圧ローラ
Ｒ２０  フィードバック回路部のフィードバック用の抵抗
Ｒ２２  制御用電圧調整回路部の電圧調整用の抵抗
ＯＰ３  電流制御回路部の演算増幅器
【図１】
2008209527.tif 000003
【図２】
2008209527.tif 000004
【図３】
2008209527.tif 000005